(57)【要約】【課題】  生け花用の保水性発泡樹脂ブロックを効率よく簡単に裁断することができる裁断用具を提供する。【解決手段】  所定寸法の直方体形状として提供される生け花用の保水性発泡樹脂ブロックＢのいずれかの一面Ｂ１の縦横寸法Ｘ，Ｙに対応する縦横寸法の角孔Ｈ１を有する角枠状のガイド枠５１に、その角孔Ｈ１を縦横に横断するように複数本のカッタ線Ｓ，Ｓ…を張設し、ガイド枠５１によって保水性発泡樹脂ブロックＢを位置決めしながら角孔Ｈ１内に保水性発泡樹脂ブロックＢを通過させ、カッタ線Ｓ，Ｓ…によって保水性発泡樹脂ブロックＢを縦方向と横方向とについて同時に押切る。【選択図】  図１
2008142433.tif 000002
【特許請求の範囲】
【請求項１】
所定寸法の直方体形状として提供される生け花用の保水性発泡樹脂ブロックのいずれかの一面の縦横寸法に対応する縦横寸法の角孔を有する角枠状のガイド枠と、該ガイド枠の周囲に該ガイド枠と直交する向きに形成する補強枠と、前記ガイド枠に対して直接に、または前記補強枠を介して形成する左右一対の取手と、前記ガイド枠の角孔を縦横に横断するように張設する複数本のカッタ線とを備えてなり、
前記ガイド枠の角孔によって保水性発泡樹脂ブロックを位置決めするように保水性発泡樹脂ブロックの上に前記ガイド枠を載せ置き、前記左右一対の取手を両手で押し下げて前記ガイド枠の角孔内に保水性発泡樹脂ブロックを通過させることによって、前記複数本のカッタ線を介して保水性発泡樹脂ブロックを縦方向と横方向とについて同時に押切りすること、を特徴とする、
生け花用の保水性発泡樹脂ブロックの裁断用具。
【請求項２】
前記ガイド枠と補強枠とのいずれか一方、または双方に前記カッタ線を嵌め込んで位置決めする複数の位置決め溝を並設すること、を特徴とする、
請求項１に記載の生け花用の保水性発泡樹脂ブロックの裁断用具。
【請求項３】
前記補強枠に前記カッタ線を嵌め込んで位置決めする複数の位置決め溝を並設するとともに、前記各カッタ線の２箇所には、前記位置決め溝を通過不能なサイズの圧着金具を取り付け、前記カッタ線は、前記角孔を挟んで対応する位置の補強枠の位置決め溝間に前記圧着金具を介して掛止することによって、１動作によって張設可能であること、を特徴とする、
請求項１に記載の生け花用の保水性発泡樹脂ブロックの裁断用具。
【請求項４】
前記カッタ線は、いずれか一方の末端に指掛けループを備えること、を特徴とする、
請求項３に記載の生け花用の保水性発泡樹脂ブロックの裁断用具。
【発明の詳細な説明】
【技術分野】
【０００１】
本発明は、市販するための便宜として、所定寸法の直方体形状として市場に供されている生け花用の保水性発泡樹脂ブロックの裁断用具に係り、より具体的には、１裁断操作によって、多数個の使用単位寸法の保水性発泡樹脂ブロックを一挙に作成することができるように工夫した生け花用の保水性発泡樹脂ブロックの裁断用具に関する。
【背景技術】
【０００２】
生け花用の保水性発泡樹脂ブロックは、尿素樹脂系の樹脂材料の発泡化素材であり、これに水を含ませて生花である切花を挿しておくことによって、挿した状態で切花の姿勢を維持することができるとともに、花瓶や水盤等の水容器を要することなく一定期間切花に水分を供給することができるので、一般家庭での使用の外、生花の販売準備としての多数の花束包装の作成や、冠婚葬祭等の時限的使用において多用されるようになっている。
【０００３】
なお、生け花用の保水性発泡樹脂ブロックは、販売単位寸法の直方体のブロック状のものとして市場に提供され、利用者は、購入したブロック状のものを所望の使用寸法に裁断して利用している。ところで、生け花用の保水性発泡樹脂ブロックは、外観的には、いわゆるスポンジのようなものであって、したがって、取扱い上、スポンジに類する性質を有するが、通常のスポンジとは、まったく異なる性質をも併せ持つ特殊な素材である。
【０００４】
このような特殊な性質は、使用に先立っての保水性発泡樹脂ブロックの裁断作業に関して次のような問題を提起する。例えば、保水性発泡樹脂ブロックは、摩擦力が極めて大きく、カッタナイフ等で裁断しようとしても、少し切り込んだ位置でカッタナイフが動かせなくなるという性質を有する。一方、弾性や反発性は皆無に近く、極めて脆い。したがって、動かなくなったカッタナイフ等を無理に動かすと、ナイフ近傍の素材がナイフに引き寄せられて座屈するように崩れてしまう。また、軽量であって裁断に際して位置ずれし易く、これを素手で押さえていると、角部が丸まったり、指の形に凹んでしまうという問題を有する。
【０００５】
保水性発泡樹脂ブロックの裁断に関する上記のような問題は、一般家庭での低頻度で使用する際には、それほどの不都合はないともいえるが、上記問題は、例えば、生花店のように均一の商品の一部として、多数個を高頻度で使用する場合における保水性発泡樹脂ブロックの裁断は、極めて時間と手数を要する煩雑な負担となっている。したがって、生花店等においては、保水性発泡樹脂ブロックを手軽に裁断することができる裁断用具が切望されている。しかし、下記特許文献に示されるように、保水性発泡樹脂ブロックの利用に関する提案が漸増するにも拘らず、適切な裁断用具は提供されていない現状である。
【特許文献１】特開２００５−２１３１２号公報
【特許文献２】特許第３７７３２５１号公報
【特許文献３】特開２００６−８７６８８号公報
【発明の開示】
【発明が解決しようとする課題】
【０００６】
保水性発泡樹脂ブロックは、裁断して使用されているにもかかわらず、適切な裁断用具が提供されていないのは、あまりにも容易な作業と見えるため、専用の裁断用具を開発するまでもなく、ありあわせの刃物等で切断すれば足りると判断されることもある。しかし、あり合わせの工具（たとえば、カッターナイフ、糸鋸）で実際に裁断作業を実施してみた結果として、その裁断は見かけでは容易なようではあるが、案外と容易な作業ではない。
【０００７】
本発明は、発明者らが保水性発泡樹脂ブロックの裁断に際しての刃物と素材との関係がチーズや粘土を切断する場合に酷似することに着目した結果なされたものである。すなわち、粘土等を刃物で切断しようとする場合、粘土等に刃先が少し切り込んだところで刃物が動かなくなり、無理に刃物を動かすと素材が崩れてしまう。このような現象は、保水性発泡樹脂ブロックと刃物の関係と同じである。ところが、粘土等に対し、一定の張力で張った糸を押し付けた場合には、以外に簡単に切断することができるという事実がある。これは、糸には、摩擦が働くに足る面積がないためである。
【０００８】
本発明は、このことをヒントに、生け花用の保水性発泡樹脂ブロックを形崩れさせることなく、極めて容易かつ短時間で、しかも、多数個取りも可能とした裁断用具を提供することを目的とする。
【課題を解決するための手段】
【０００９】
本発明は、上記課題を解決するために次のような手段を採用する。
【００１０】
本発明の請求項１に記載の生け花用の保水性発泡樹脂ブロックの裁断用具は、所定寸法の直方体形状として提供される生け花用の保水性発泡樹脂ブロックのいずれかの一面の縦横寸法に対応する縦横寸法の角孔を有する角枠状のガイド枠と、このガイド枠の周囲にガイド枠と直交する向きに形成する補強枠と、ガイド枠に対して直接に、または補強枠を介して形成する左右一対の取手と、ガイド枠の角孔を縦横に横断するように張設する複数本のカッタ線とを備えてなり、ガイド枠の角孔によって保水性発泡樹脂ブロックを位置決めするように保水性発泡樹脂ブロックの上にガイド枠を載せ置き、左右一対の取手を両手で押し下げてガイド枠の角孔内に保水性発泡樹脂ブロックを通過させることによって、複数本のカッタ線を介して保水性発泡樹脂ブロックを縦方向と横方向とについて同時に押切りすることを特徴とする。
【００１１】
上記構成を有する保水性発泡樹脂ブロックの裁断用具は、ガイド枠の角孔の寸法を保水性発泡樹脂ブロックの一面の寸法に対応させていることにより、ガイド枠によって保水性発泡樹脂ブロックを位置決めすることができ、そしてまた、カッタ線による押し切り方式を採用していることにより、裁断作業に際して保水性発泡樹脂ブロックを手で押さえている必要がないので、両手で左右の取手を使用しての安定な裁断作業を行うことができるとともに、手で押さえることによる保水性発泡樹脂ブロックの角落ち等の問題が発生しない。この際、ガイド枠は、角孔内に保水性発泡樹脂ブロックを位置決めしながら進行するので、裁断面が屈曲することを防止することができる。ガイド枠に対して直交方向に形成された補強枠は、ガイド枠に立体構造を与え、裁断作業に際して加えられる力に耐えることができる。また、カッタ線は、縦方向と横方向に張設されていることにより、保水性発泡樹脂ブロックを縦方向と横方向とについて同時に裁断することができる。
【００１２】
本発明の請求項２に記載の生け花用の保水性発泡樹脂ブロックの裁断用具は、ガイド枠と補強枠とのいずれか一方、または双方にカッタ線を嵌め込んで位置決めする複数の位置決め溝を並設することを特徴とする。
【００１３】
上記構成を有する保水性発泡樹脂ブロックの裁断用具は、カッタ線を張設するに際して、予め所定位置に設けられた位置決め溝を選択することによって、その都度カッタ線の張設位置を測定する手数を省くことができるとともに、使用する位置決め溝を変更することによって、簡単に裁断サイズを変更することができる。また、位置決め溝は、使用中にカッタ線が位置ずれすることを防止する機能も発揮する。
【００１４】
本発明の請求項３に記載の生け花用の保水性発泡樹脂ブロックの裁断用具は、補強枠にカッタ線を嵌め込んで位置決めする複数の位置決め溝を並設するとともに、各カッタ線の２箇所には、位置決め溝を通過不能なサイズの圧着金具を取り付け、カッタ線は、ガイド枠の角孔を挟んで対応する位置の補強枠の位置決め溝間に圧着金具を介して掛止することによって、１動作によって張設可能であることを特徴とする。
【００１５】
上記構成におけるカッタ線は、位置決め溝を通過することができない圧着金具を位置決め溝に掛止することによって、カッタ線を結わえる作業を省略して簡単に、例えば、１動作によって張設することができる。ただし、このような掛止方法は、カッタ線に対して位置決め溝方向の力が加わると簡単に脱落するという問題がある。ここで、ガイド枠は、保水性発泡樹脂ブロックを案内する機能を有することから、必然的に保水性発泡樹脂ブロックに沿った向きに形成され、その位置決め溝は、裁断作業に際してカッタ線に加わる方向に向いているため、ガイド枠の位置決め溝にカッタ線を掛止した場合には、簡単に外れてしまうこととなる。すなわち、カッタ線をガイド枠とは方向の異なる補強枠の位置決め溝に掛止することによってカッタ線の脱落を阻止することができるのである。
【００１６】
本発明の請求項４に記載の生け花用の保水性発泡樹脂ブロックの裁断用具は、カッタ線のいずれか一方の末端に指掛けループを備えることを特徴とする。
【００１７】
上記構成は、力が加えにくい細い線材料であるカッタ線に、予め、指を掛けることができる指掛けループを準備しておくことによって、所定の張力を付与した状態でガイド枠にカッタ線を張設する作業を簡便化することができる。
【発明の効果】
【００１８】
本発明に係る生け花用の保水性発泡樹脂ブロックの裁断用具は、縦横にカッタ線を張設したガイド枠内に保水性発泡樹脂ブロックを通過させることによって、一般的な刃物では切断が困難であつた保水性発泡樹脂ブロックを、カッタ線の押し込み動作で極めて容易に裁断破壊し、かつ短時間で効率よく裁断することができるという顕著な効果を奏する。
【発明を実施するための最良の形態】
【００１９】
以下、図面を引用しながら本発明の実施の形態を説明する。
【００２０】
保水性発泡樹脂ブロックＢの裁断用具５０は、ガイド枠５１と、補強枠５２と、取手５３，５３と、左右一対の複数本のカッタ線Ｓ，Ｓ…とからなる（図１，図２）。
【００２１】
ガイド枠５１と補強枠５２と左右一対の取手５３，５３は、ＡＢＳ樹脂やポリカーボネイト樹脂等の機械的強度の大きい樹脂材料から一体成形されている。ガイド枠５１は、一定幅の板材を長方形に曲げ加工した場合に相当する角枠状に形成され、したがって、ガイド枠５１の内側には、角孔Ｈ１が形成されている。そして、この角孔Ｈ１の縦横寸法は、裁断対象となる保水性発泡樹脂ブロックＢの任意の一面Ｂ１の縦寸法Ｘ、横寸法Ｙをそれぞれ僅かに上回るように寸法設定されている（図１）。ガイド枠５１の上端面には、その板厚を横断する方向に多数の位置決め溝５Ａ，５Ａ…が刻設されている。各位置決め溝５Ａは、Ｖ字形であり、多数の位置決め溝５Ａ，５Ａ…は、角孔Ｈ１を挟んで対応するように配置されている。
【００２２】
補強枠５２は、ガイド枠５１に立体構造を付与することを目的としてガイド枠の側方に突出する補強リブの態様で、ガイド枠５１の全周にわたって形成されている。したがって、ガイド枠５１と補強枠５２とは、直交する角度関係となっている。また、ガイド枠５１の短辺に対応する左右の補強枠５２には、取手５３，５３が一体に形成されている。補強枠５２と取手５３との境界は明確ではないが、裁断用具５０の取扱上、何ら支障は生じない。この補強枠５２には、少なくとも、ガイド枠５１に形成した位置決め溝に対応する数の位置決め溝５Ａ，５Ａ…が形成されている。なお、左右の取手５３，５３には、カッタ線Ｓを通すための通し孔Ｈ２，Ｈ２が形成され、ガイド枠５１の短辺側の位置決め溝５Ａ，５Ａに対応する補強枠５２の位置決め溝５Ａ，５Ａは、通し孔Ｈ２，Ｈ２の内部に形成されている。なお、取手５３，５３は、補強枠５２と別に設けることもできる。
【００２３】
本実施の形態におけるカッタ線Ｓ，Ｓ…には、それぞれ２個の圧着金具５６，５６を取付けるとともに、一端に指掛けループＳ１を形成したものが採用されている（図１，図３）。なお、カッタ線Ｓには、釣り漁用のテグス、つまり、ナイロン糸を流用している。各カッタ線Ｓは、角孔Ｈ１を挟んで対応する位置の位置決め溝５Ａ，５Ａ…を選び、圧着金具５６，５６を補強枠の裏面側に掛止した状態で着脱自在に取り付けられている。
【００２４】
このような圧着金具５６，５６を備えるカッタ線Ｓは、１動作によってガイド枠５１に張設することが可能である（図３）。各カッタ線Ｓの取付けは、中間部分を補強枠５２の位置決め溝５Ａに嵌め込んだ上、指掛けループＳ１に指を掛けて他方側に引き付け、残る圧着金具５６を他方の補強枠５２の位置決め溝５Ａの下側に回し込むことによって完了する。なお、各圧着金具５６には、掛止効果の高いつば５Ｔを有するものが用いられているが、位置決め溝５Ａを通過し得ないサイズであれば、つば５Ｔを有しない通常の圧着スリーブで足りる。
【００２５】
本実施の形態に示す裁断用具５０は、次のような要領で極めて簡単に使用することができる（図１，図３）。なお、カッタ線Ｓ，Ｓ…は、縦方向に１本と、横方向に３本張設され、ガイド枠５１の角孔Ｈ１は、カッタ線Ｓ，Ｓ…によって８個の均等サイズの升目状態に区画されている。
【００２６】
ガイド枠５１の角孔Ｈ１の対応する形状の１面Ｂ１を上にして保水性発泡樹脂ブロックＢを置き、この上に、角孔Ｈ１内に保水性発泡樹脂ブロックＢを位置決めするようにして裁断用具５０を載せる。次いで、左右の取手５３，５３の両手をかけて体重を載せるようにして裁断用具５０全体を押し下げる。体重の軽い者であっても、左右の取手５３，５３に両手をかけ、ガイド枠５１に体重を載せるようにしながら少し左に傾け、ついで右に傾けて揺動させながら、これを交互に繰り返すことによって裁断用具５０を押し下げる。この動作の相対運動として、保水性発泡樹脂ブロックＢは、ガイド枠５１の角孔Ｈ１内を上昇し、カッタ線Ｓ，Ｓ…は細い線状に食い込み、保水性発泡樹脂ブロックＢ内に押し込まれ裁断され、破壊することとなる。
【００２７】
結果として、保水性発泡樹脂ブロックＢは、希望するサイズの８個の保水性発泡樹脂ブロックに裁断破壊される。裁断作業に際しては、カッタ線Ｓ，Ｓ…に上向きの反作用が働くのであるが、各カッタ線Ｓは、ガイド枠５１に対して側方に向いている補強枠に掛止されていることにより、カッタ線Ｓ，Ｓ…が脱落することにはならない。
【００２８】
なお、上記実施の形態に拘らず、裁断用具５０は、ガイド枠５１と補強枠５２のいずれか一方、または双方の位置決め溝５Ａ，５Ａ…を有しないものとすることもできる。この場合におけるカッタ線Ｓ，Ｓ…は、ガイド枠５２に結わえておけば足りるからである。また、このことは、圧着金具５６、指掛けループＳ１についても同様である。これらは、裁断用具５０の基本的作用に寄与するのではなく、裁断用具５０をより便利にすることを目的としているからでもある。
【００２９】
また、ガイド枠５１や補強枠５２は、金属材料の板金加工製品として、または、ダイカスト製品としても容易に実施することができるものである。カッタ線Ｓの材質に関しては、ナイロン線に限らず、１８番ないし２２番程度の太さの金属線を利用しても、同等の裁断作用を得ることができる。しかしながら、金属線の場合、伸線状に弛みが発生しやすく、使用毎に張り具合を調整する必要があるので、連続して裁断したいときには、好ましくない。
【００３０】
以上の説明において、裁断用具５０は、ガイド枠５１に保水性発泡樹脂Ｂを挿入するようにしてカッタ線Ｓを通過させて裁断することを説明したが、その逆に、カッタ線Ｓ側を保水性發泡樹脂Ｂに接触させ、保水性発泡樹脂Ｂにカッタ線Ｓを食い込むように押し込みながらガイド枠５１に沿って裁断することもできる。
【図面の簡単な説明】
【００３１】
【図１】本発明の実施の形態を示す斜視図である。
【図２】上記実施の形態における要部の平面図である。
【図３】上記実施の形態における要部の断面図である。
【符号の説明】
【００３２】
Ｂ        保水性発泡樹脂ブロック
Ｓ        カッタ線
Ｓ１      指掛けループ
５０      裁断用具
５１      ガイド枠
５２      補強枠
５Ａ      位置決め溝
５３      取手
５６      圧着金具
【図１】
2008142433.tif 000003
【図２】
2008142433.tif 000004
【図３】
2008142433.tif 000005
【手続補正書】
【提出日】平成19年8月10日(2007.8.10)
【手続補正１】
【補正対象書類名】特許請求の範囲
【補正対象項目名】全文
【補正方法】変更
【補正の内容】
【特許請求の範囲】
【請求項１】
所定寸法の直方体形状として提供される生け花用の保水性発泡樹脂ブロックのいずれかの一面の縦横寸法に対応する縦横寸法の角孔を有する角枠状のガイド枠と、該ガイド枠の周囲に該ガイド枠と直交する向きに形成する補強枠と、前記ガイド枠に対して直接に、または前記補強枠を介して形成する左右一対の取手と、前記ガイド枠と補強枠とのいずれか一方、または双方に前記カッタ線を嵌め込んで位置決めする複数の位置決め溝を並設して、前記ガイド枠の角孔を縦横に横断するように該位置決め溝に張設するカッタ線とを備え、前記ガイド枠の角孔によって保水性発泡樹脂ブロックを位置決めするように保水性発泡樹脂ブロックの上に前記ガイド枠を載せ置き、前記左右一対の取手を両手で押し下げて前記ガイド枠の角孔内に保水性発泡樹脂ブロックを通過させることによって、前記張設したカッタ線を介して保水性発泡樹脂ブロックを縦方向と横方向について同時に押切りする生け花用の保水性発泡樹脂ブロックの裁断用具において、
前記各カッタ線はナイロン糸で形成され、該カッタ線の２箇所には、前記補助枠に設けた位置決め溝を通過不能なサイズの圧着金具を取り付け、該カッタ線を前記角孔を挟んで対応する位置の補強枠の位置決め溝間に前記圧着金具を介して掛止して、１動作で複数本の各カッタ線を個別に掛止可能に構成したこと、を特徴とする、
生け花用の保水性発泡樹脂ブロックの裁断用具。
【手続補正２】
【補正対象書類名】明細書
【補正対象項目名】全文
【補正方法】変更
【補正の内容】
【発明の詳細な説明】
【技術分野】
【０００１】
本発明は、市販するための便宜として、所定寸法の直方体形状として市場に供されている生け花用の保水性発泡樹脂ブロックの裁断用具に係り、より具体的には、１裁断操作によって、多数個の使用単位寸法の保水性発泡樹脂ブロックを一挙に作成することができるように工夫した生け花用の保水性発泡樹脂ブロックの裁断用具に関する。
【背景技術】
【０００２】
生け花用の保水性発泡樹脂ブロックは、尿素樹脂系の樹脂材料の発泡化素材であり、これに水を含ませて生花である切花を挿しておくことによって、挿した状態で切花の姿勢を維持することができるとともに、花瓶や水盤等の水容器を要することなく一定期間切花に水分を供給することができるので、一般家庭での使用の外、生花の販売準備としての多数の花束包装の作成や、冠婚葬祭等の時限的使用において多用されるようになっている。
【０００３】
なお、生け花用の保水性発泡樹脂ブロックは、販売単位寸法の直方体のブロック状のものとして市場に提供され、利用者は、購入したブロック状のものを所望の使用寸法に裁断して利用している。ところで、生け花用の保水性発泡樹脂ブロックは、外観的には、いわゆるスポンジのようなものであって、したがって、取扱い上、スポンジに類する性質を有するが、通常のスポンジとは、まったく異なる性質をも併せ持つ特殊な素材である。
【０００４】
このような特殊な性質は、使用に先立っての保水性発泡樹脂ブロックの裁断作業に関して次のような問題を提起する。例えば、保水性発泡樹脂ブロックは、摩擦力が極めて大きく、カッタナイフ等で裁断しようとしても、少し切り込んだ位置でカッタナイフが動かせなくなるという性質を有する。一方、弾性や反発性は皆無に近く、極めて脆い。したがって、動かなくなったカッタナイフ等を無理に動かすと、ナイフ近傍の素材がナイフに引き寄せられて座屈するように崩れてしまう。また、軽量であって裁断に際して位置ずれし易く、これを素手で押さえていると、角部が丸まったり、指の形に凹んでしまうという問題を有する。
【０００５】
保水性発泡樹脂ブロックの裁断に関する上記のような問題は、一般家庭での低頻度で使用する際には、それほどの不都合はないともいえるが、上記問題は、例えば、生花店のように均一の商品の一部として、多数個を高頻度で使用する場合における保水性発泡樹脂ブロックの裁断は、極めて時間と手数を要する煩雑な負担となっている。したがって、生花店等においては、保水性発泡樹脂ブロックを手軽に裁断することができる裁断用具が切望されている。しかし、下記特許文献に示されるように、保水性発泡樹脂ブロックの利用に関する提案が漸増するにも拘らず、適切な裁断用具は提供されていない現状である。
【特許文献１】特開２００５−２１３１２号公報
【特許文献２】特許第３７７３２５１号公報
【特許文献３】特開２００６−８７６８８号公報
【発明の開示】
【発明が解決しようとする課題】
【０００６】
保水性発泡樹脂ブロックは、裁断して使用されているにもかかわらず、適切な裁断用具が提供されていないのは、あまりにも容易な作業と見えるため、専用の裁断用具を開発するまでもなく、ありあわせの刃物等で切断すれば足りると判断されることもある。しかし、あり合わせの工具（たとえば、カッターナイフ、糸鋸）で実際に裁断作業を実施してみた結果として、その裁断は見かけでは容易なようではあるが、案外と容易な作業ではない。
【０００７】
本発明は、発明者らが保水性発泡樹脂ブロックの裁断に際しての刃物と素材との関係がチーズや粘土を切断する場合に酷似することに着目した結果なされたものである。すなわち、粘土等を刃物で切断しようとする場合、粘土等に刃先が少し切り込んだところで刃物が動かなくなり、無理に刃物を動かすと素材が崩れてしまう。このような現象は、保水性発泡樹脂ブロックと刃物の関係と同じである。ところが、粘土等に対し、一定の張力で張った糸を押し付けた場合には、以外に簡単に切断することができるという事実がある。これは、糸には、摩擦が働くに足る面積がないためである。
【０００８】
本発明は、このことをヒントに、生け花用の保水性発泡樹脂ブロックを形崩れさせることなく、極めて容易かつ短時間で、しかも、多数個取りも可能とした裁断用具を提供することを目的とする。
【課題を解決するための手段】
【０００９】
本発明は、上記課題を解決するために次のような手段を採用する。
【００１０】
所定寸法の直方体形状として提供される生け花用の保水性発泡樹脂ブロックのいずれかの一面の縦横寸法に対応する縦横寸法の角孔を有する角枠状のガイド枠と、このガイド枠の周囲にガイド枠と直交する向きに形成する補強枠と、ガイド枠に対して直接に、または補強枠を介して形成する左右一対の取手と、前記ガイド枠と補強枠とのいずれか一方、または双方に前記カッタ線を嵌め込んで位置決めする複数の位置決め溝を並設して、前記ガイド枠の角孔を縦横に横断するように該位置決め溝に張設するカッタ線とを備え、ガイド枠の角孔を縦横に横断するように張設する複数本のカッタ線とを備えてなり、ガイド枠の角孔によって保水性発泡樹脂ブロックを位置決めするように保水性発泡樹脂ブロックの上にガイド枠を載せ置き、左右一対の取手を両手で押し下げてガイド枠の角孔内に保水性発泡樹脂ブロックを通過させることによって、張設したカッタ線を介して保水性発泡樹脂ブロックを縦方向と横方向とについて同時に押切りする生け花用の保水性発泡樹脂ブロックの裁断用具において、前記カッタ線はナイロン糸で形成され、該カッタ線の２箇所には、前記補助枠の位置決め溝を通過不能なサイズの圧着金具を取り付け、そのカッタ線を前記角孔を挟んで対応する位置の補強枠の位置決め溝間に前記圧着金具を介して掛止して、１動作で複数本の各カッタ線を個別に掛止可能に構成したことを特徴としている。
【００１１】
上記構成を有する保水性発泡樹脂ブロックの裁断用具は、ガイド枠の角孔の寸法を保水性発泡樹脂ブロックの一面の寸法に対応させていることにより、ガイド枠によって保水性発泡樹脂ブロックを位置決めすることができ、そしてまた、カッタ線による押し切り方式を採用していることにより、裁断作業に際して保水性発泡樹脂ブロックを手で押さえている必要がないので、両手で左右の取手を使用しての安定な裁断作業を行うことができるとともに、手で押さえることによる保水性発泡樹脂ブロックの角落ち等の問題が発生しない。この際、ガイド枠は、角孔内に保水性発泡樹脂ブロックを位置決めしながら進行するので、裁断面が屈曲することを防止することができる。ガイド枠に対して直交方向に形成された補強枠は、ガイド枠に立体構造を与え、裁断作業に際して加えられる力に耐えることができる。また、カッタ線は、縦方向と横方向とに取り付けられていることにより、保水性発泡樹脂ブロックを縦方向と横方向とについて同時に裁断することができる。カッタ線の取り付けに当たり、予め所定位置に設けられた位置決め溝を選択することによって、その都度カッタ線の張設位置を測定する手数を省略できるとともに、使用する位置決め溝を変更することによって、簡単に裁断サイズを変更することもできる。  そして、カッタ線はナイロン糸で形成され、位置決め溝を通過することができない圧着金具を２箇所に固着し、一端側に指掛けループを形成しているので、その指掛けループに指をかけてカッタ線に張力を掛けながら圧着金具を位置決め溝に掛止することによって、カッタ線を結わえる作業を省略して簡単に、例えば、１動作によって張設することができる。ただし、このような掛止方法は、カッタ線に対して位置決め溝方向の力が加わると簡単に脱落するという問題がある。ここで、ガイド枠は、保水性発泡樹脂ブロックを案内する機能を有することから、必然的に保水性発泡樹脂ブロックに沿った向きに形成され、その位置決め溝は、裁断作業に際してカッタ線に加わる方向に向いているため、ガイド枠の位置決め溝にカッタ線を掛止した場合には、簡単に外れてしまうこととなる。すなわち、カッタ線をガイド枠とは方向の異なる補強枠の位置決め溝に掛止することによってカッタ線の脱落を阻止することができるのである。
【発明の効果】
【００１２】
本発明に係る生け花用の保水性発泡樹脂ブロックの裁断用具は、縦横にカッタ線を張設したガイド枠内に保水性発泡樹脂ブロックを通過させることによって、一般的な刃物では切断が困難であつた保水性発泡樹脂ブロックを、カッタ線の押し込み動作で極めて容易に裁断破壊し、かつ短時間で効率よく裁断することができるという顕著な効果を奏する。
【発明を実施するための最良の形態】
【００１３】
以下、図面を引用しながら本発明の実施の形態を説明する。
【００１４】
保水性発泡樹脂ブロックＢの裁断用具５０は、ガイド枠５１と、補強枠５２と、取手５３，５３と、左右一対の複数本のカッタ線Ｓ，Ｓ…とからなる（図１，図２）。
【００１５】
ガイド枠５１と補強枠５２と左右一対の取手５３，５３は、ＡＢＳ樹脂やポリカーボネイト樹脂等の機械的強度の大きい樹脂材料から一体成形されている。ガイド枠５１は、一定幅の板材を長方形に曲げ加工した場合に相当する角枠状に形成され、したがって、ガイド枠５１の内側には、角孔Ｈ１が形成されている。そして、この角孔Ｈ１の縦横寸法は、裁断対象となる保水性発泡樹脂ブロックＢの任意の一面Ｂ１の縦寸法Ｘ、横寸法Ｙをそれぞれ僅かに上回るように寸法設定されている（図１）。ガイド枠５１の上端面には、その板厚を横断する方向に多数の位置決め溝５Ａ，５Ａ…が刻設されている。各位置決め溝５Ａは、Ｖ字形であり、多数の位置決め溝５Ａ，５Ａ…は、角孔Ｈ１を挟んで対応するように配置されている。
【００１６】
補強枠５２は、ガイド枠５１に立体構造を付与することを目的としてガイド枠の側方に突出する補強リブの態様で、ガイド枠５１の全周にわたって形成されている。したがって、ガイド枠５１と補強枠５２とは、直交する角度関係となっている。また、ガイド枠５１の短辺に対応する左右の補強枠５２には、取手５３，５３が一体に形成されている。補強枠５２と取手５３との境界は明確ではないが、裁断用具５０の取扱上、何ら支障は生じない。この補強枠５２には、少なくとも、ガイド枠５１に形成した位置決め溝に対応する数の位置決め溝５Ａ，５Ａ…が形成されている。なお、左右の取手５３，５３には、カッタ線Ｓを通すための通し孔Ｈ２，Ｈ２が形成され、ガイド枠５１の短辺側の位置決め溝５Ａ，５Ａに対応する補強枠５２の位置決め溝５Ａ，５Ａは、通し孔Ｈ２，Ｈ２の内部に形成されている。なお、取手５３，５３は、補強枠５２と別に設けることもできる。
【００１７】
本実施の形態におけるカッタ線Ｓ，Ｓ…には、それぞれ２個の圧着金具５６，５６を取付けるとともに、一端に指掛けループＳ１を形成したものが採用されている（図１，図３）。なお、カッタ線Ｓには、釣り漁用のテグス、つまり、ナイロン糸を流用している。各カッタ線Ｓは、角孔Ｈ１を挟んで対応する位置の位置決め溝５Ａ，５Ａ…を選び、圧着金具５６，５６を補強枠の裏面側に掛止した状態で着脱自在に取り付けられている。
【００１８】
このような圧着金具５６，５６を備えるカッタ線Ｓは、１動作によってガイド枠５１に張設することが可能である（図３）。各カッタ線Ｓの取付けは、中間部分を補強枠５２の位置決め溝５Ａに嵌め込んだ上、指掛けループＳ１に指を掛けて他方側に引き付け、残る圧着金具５６を他方の補強枠５２の位置決め溝５Ａの下側に回し込むことによって完了する。なお、各圧着金具５６には、掛止効果の高いつば５Ｔを有するものが用いられているが、位置決め溝５Ａを通過し得ないサイズであれば、つば５Ｔを有しない通常の圧着スリーブで足りる。
【００１９】
本実施の形態に示す裁断用具５０は、次のような要領で極めて簡単に使用することができる（図１，図３）。なお、カッタ線Ｓ，Ｓ…は、縦方向に１本と、横方向に３本張設され、ガイド枠５１の角孔Ｈ１は、カッタ線Ｓ，Ｓ…によって８個の均等サイズの升目状態に区画されている。
【００２０】
ガイド枠５１の角孔Ｈ１の対応する形状の１面Ｂ１を上にして保水性発泡樹脂ブロックＢを置き、この上に、角孔Ｈ１内に保水性発泡樹脂ブロックＢを位置決めするようにして裁断用具５０を載せる。次いで、左右の取手５３，５３の両手をかけて体重を載せるようにして裁断用具５０全体を押し下げる。体重の軽い者であっても、左右の取手５３，５３に両手をかけ、ガイド枠５１に体重を載せるようにしながら少し左に傾け、ついで右に傾けて揺動させながら、これを交互に繰り返すことによって裁断用具５０を押し下げる。この動作の相対運動として、保水性発泡樹脂ブロックＢは、ガイド枠５１の角孔Ｈ１内を上昇し、カッタ線Ｓ，Ｓ…は細い線状に食い込み、保水性発泡樹脂ブロックＢ内に押し込まれ裁断され、破壊することとなる。
【００２１】
結果として、保水性発泡樹脂ブロックＢは、希望するサイズの８個の保水性発泡樹脂ブロックに裁断破壊される。裁断作業に際しては、カッタ線Ｓ，Ｓ…に上向きの反作用が働くのであるが、各カッタ線Ｓは、ガイド枠５１に対して側方に向いている補強枠に掛止されていることにより、カッタ線Ｓ，Ｓ…が脱落することにはならない。
【００２２】
なお、上記実施の形態に拘らず、裁断用具５０は、ガイド枠５１と補強枠５２のいずれか一方、または双方の位置決め溝５Ａ，５Ａ…を有しないものとすることもできる。この場合におけるカッタ線Ｓ，Ｓ…は、ガイド枠５２に結わえておけば足りるからである。また、このことは、圧着金具５６、指掛けループＳ１についても同様である。これらは、裁断用具５０の基本的作用に寄与するのではなく、裁断用具５０をより便利にすることを目的としているからでもある。
【００２３】
また、ガイド枠５１や補強枠５２は、金属材料の板金加工製品として、または、ダイカスト製品としても容易に実施することができるものである。カッタ線Ｓの材質に関しては、ナイロン線に限らず、１８番ないし２２番程度の太さの金属線を利用しても、同等の裁断作用を得ることができる。しかしながら、金属線の場合、伸線状に弛みが発生しやすく、使用毎に張り具合を調整する必要があるので、連続して裁断したいときには、好ましくない。
【００２４】
以上の説明において、裁断用具５０は、ガイド枠５１に保水性発泡樹脂Ｂを挿入するようにしてカッタ線Ｓを通過させて裁断することを説明したが、その逆に、カッタ線Ｓ側を保水性發泡樹脂Ｂに接触させ、保水性発泡樹脂Ｂにカッタ線Ｓを食い込むように押し込みながらガイド枠５１に沿って裁断することもできる。
【図面の簡単な説明】
【００２５】
【図１】本発明の実施の形態を示す斜視図である。
【図２】上記実施の形態における要部の平面図である。
【図３】上記実施の形態における要部の断面図である。
【符号の説明】
【００２６】
Ｂ        保水性発泡樹脂ブロック
Ｓ        カッタ線
Ｓ１      指掛けループ
５０      裁断用具
５１      ガイド枠
５２      補強枠
５Ａ      位置決め溝
５３      取手
５６      圧着金具
【手続補正書】
【提出日】平成19年11月5日(2007.11.5)
【手続補正１】
【補正対象書類名】特許請求の範囲
【補正対象項目名】全文
【補正方法】変更
【補正の内容】
【特許請求の範囲】
【請求項１】
所定寸法の直方体形状として提供される生け花用の保水性発泡樹脂ブロックのいずれかの一面の縦横寸法に対応する縦横寸法の角孔を有する角枠状のガイド枠と、該ガイド枠の周囲に該ガイド枠と直交する向きに形成する補強枠と、前記ガイド枠に対して直接に、または前記補強枠を介して形成する左右一対の取手と、前記ガイド枠にはカッタ線を嵌め込んで位置決めする複数の位置決め溝を有し、前記ガイド枠の角孔を縦横に横断するように張設するカッタ線とを備え、前記ガイド枠の角孔によって保水性発泡樹脂ブロックを位置決めするように保水性発泡樹脂ブロックの上に前記ガイド枠を載せ置き、前記左右一対の取手を両手で押し下げて前記ガイド枠の角孔内に保水性発泡樹脂ブロックを通過させることによって、前記張設したカッタ線を介して保水性発泡樹脂ブロックを縦方向と横方向について同時に押切りする生け花用の保水性発泡樹脂ブロックの裁断用具において、
前記ガイド枠の上端面にはカッタ線を嵌め込む複数の位置決め溝と、前記補助枠には該位置決め溝に対して対応する位置にカッタ線を掛止可能とした掛止溝とを並設し、
前記各カッタ線はナイロン糸で形成され、該カッタ線の２箇所には、前記補助枠に設けた掛止溝を通過不能なサイズの圧着金具を取り付け、該カッタ線を前記角孔を挟んで対応する位置の該位置決め溝に嵌め込まれ、該カッタ線は前記補強枠の掛止溝間に前記圧着金具を介して掛止して、１動作で複数本の各カッタ線を個別に掛止可能に構成したこと、を特徴とする、
生け花用の保水性発泡樹脂ブロックの裁断用具。
【手続補正２】
【補正対象書類名】明細書
【補正対象項目名】全文
【補正方法】変更
【補正の内容】
【発明の詳細な説明】
【技術分野】
【０００１】
本発明は、市販するための便宜として、所定寸法の直方体形状として市場に供されている生け花用の保水性発泡樹脂ブロックの裁断用具に係り、より具体的には、１裁断操作によって、多数個の使用単位寸法の保水性発泡樹脂ブロックを一挙に作成することができるように工夫した生け花用の保水性発泡樹脂ブロックの裁断用具に関する。
【背景技術】
【０００２】
生け花用の保水性発泡樹脂ブロックは、尿素樹脂系の樹脂材料の発泡化素材であり、これに水を含ませて生花である切花を挿しておくことによって、挿した状態で切花の姿勢を維持することができるとともに、花瓶や水盤等の水容器を要することなく一定期間切花に水分を供給することができるので、一般家庭での使用の外、生花の販売準備としての多数の花束包装の作成や、冠婚葬祭等の時限的使用において多用されるようになっている。
【０００３】
なお、生け花用の保水性発泡樹脂ブロックは、販売単位寸法の直方体のブロック状のものとして市場に提供され、利用者は、購入したブロック状のものを所望の使用寸法に裁断して利用している。ところで、生け花用の保水性発泡樹脂ブロックは、外観的には、いわゆるスポンジのようなものであって、したがって、取扱い上、スポンジに類する性質を有するが、通常のスポンジとは、まったく異なる性質をも併せ持つ特殊な素材である。
【０００４】
このような特殊な性質は、使用に先立っての保水性発泡樹脂ブロックの裁断作業に関して次のような問題を提起する。例えば、保水性発泡樹脂ブロックは、摩擦力が極めて大きく、カッタナイフ等で裁断しようとしても、少し切り込んだ位置でカッタナイフが動かせなくなるという性質を有する。一方、弾性や反発性は皆無に近く、極めて脆い。したがって、動かなくなったカッタナイフ等を無理に動かすと、ナイフ近傍の素材がナイフに引き寄せられて座屈するように崩れてしまう。また、軽量であって裁断に際して位置ずれし易く、これを素手で押さえていると、角部が丸まったり、指の形に凹んでしまうという問題を有する。
【０００５】
保水性発泡樹脂ブロックの裁断に関する上記のような問題は、一般家庭での低頻度で使用する際には、それほどの不都合はないともいえるが、上記問題は、例えば、生花店のように均一の商品の一部として、多数個を高頻度で使用する場合における保水性発泡樹脂ブロックの裁断は、極めて時間と手数を要する煩雑な負担となっている。したがって、生花店等においては、保水性発泡樹脂ブロックを手軽に裁断することができる裁断用具が切望されている。しかし、下記特許文献に示されるように、保水性発泡樹脂ブロックの利用に関する提案が漸増するにも拘らず、適切な裁断用具は提供されていない現状である。
【特許文献１】特開２００５−２１３１２号公報
【特許文献２】特許第３７７３２５１号公報
【特許文献３】特開２００６−８７６８８号公報
【発明の開示】
【発明が解決しようとする課題】
【０００６】
保水性発泡樹脂ブロックは、裁断して使用されているにもかかわらず、適切な裁断用具が提供されていないのは、あまりにも容易な作業と見えるため、専用の裁断用具を開発するまでもなく、ありあわせの刃物等で切断すれば足りると判断されることもある。しかし、あり合わせの工具（たとえば、カッターナイフ、糸鋸）で実際に裁断作業を実施してみた結果として、その裁断は見かけでは容易なようではあるが、案外と容易な作業ではない。
【０００７】
本発明は、発明者らが保水性発泡樹脂ブロックの裁断に際しての刃物と素材との関係がチーズや粘土を切断する場合に酷似することに着目した結果なされたものである。すなわち、粘土等を刃物で切断しようとする場合、粘土等に刃先が少し切り込んだところで刃物が動かなくなり、無理に刃物を動かすと素材が崩れてしまう。このような現象は、保水性発泡樹脂ブロックと刃物の関係と同じである。ところが、粘土等に対し、一定の張力で張った糸を押し付けた場合には、以外に簡単に切断することができるという事実がある。これは、糸には、摩擦が働くに足る面積がないためである。
【０００８】
本発明は、このことをヒントに、生け花用の保水性発泡樹脂ブロックを形崩れさせることなく、極めて容易かつ短時間で、しかも、多数個取りも可能とした裁断用具を提供することを目的とする。
【課題を解決するための手段】
【０００９】
本発明は、上記課題を解決するために次のような手段を採用する。
【００１０】
所定寸法の直方体形状として提供される生け花用の保水性発泡樹脂ブロックのいずれかの一面の縦横寸法に対応する縦横寸法の角孔を有する角枠状のガイド枠と、このガイド枠の周囲にガイド枠と直交する向きに形成する補強枠と、ガイド枠に対して直接に、または補強枠を介して形成する左右一対の取手と、ガイド枠にはカッタ線を嵌め込んで位置決めする複数の位置決め溝を有し、そのガイド枠の角孔を縦横に横断するように該位置決め溝に張設するカッタ線とを備え、ガイド枠の角孔によって保水性発泡樹脂ブロックを位置決めするように保水性発泡樹脂ブロックの上にガイド枠を載せ置き、左右一対の取手を両手で押し下げてガイド枠の角孔内に保水性発泡樹脂ブロックを通過させることによって、張設したカッタ線を介して保水性発泡樹脂ブロックを縦方向と横方向とについて同時に押切りする生け花用の保水性発泡樹脂ブロックの裁断用具において、ガイド枠の上端面にはカッタ線を嵌め込む複数の位置決め溝と、補助枠にはその位置決め溝に対して対応する位置にカッタ線を掛止可能とした位置決め溝とを並設し、カッタ線はナイロン糸で形成され、該カッタ線の２箇所には、前記補助枠に設けた掛止溝を通過不能なサイズの圧着金具を取り付け、そのカッタ線を前記角孔を挟んで対応する位置の補強枠の位置決め溝に嵌め込まれ、そのカッタ線は補強枠の掛止溝間に前記圧着金具を介して掛止して、１動作で複数本の各カッタ線を個別に掛止可能に構成したことを特徴としている。
【００１１】
上記構成を有する保水性発泡樹脂ブロックの裁断用具は、ガイド枠の角孔の寸法を保水性発泡樹脂ブロックの一面の寸法に対応させていることにより、ガイド枠によって保水性発泡樹脂ブロックを位置決めすることができ、そしてまた、カッタ線による押し切り方式を採用していることにより、裁断作業に際して保水性発泡樹脂ブロックを手で押さえている必要がないので、両手で左右の取手を使用しての安定な裁断作業を行うことができるとともに、手で押さえることによる保水性発泡樹脂ブロックの角落ち等の問題が発生しない。この際、ガイド枠は、角孔内に保水性発泡樹脂ブロックを位置決めしながら進行するので、裁断面が屈曲することを防止することができる。ガイド枠に対して直交方向に形成された補強枠は、ガイド枠に立体構造を与え、裁断作業に際して加えられる力に耐えることができる。また、カッタ線は、縦方向と横方向とに取り付けられていることにより、保水性発泡樹脂ブロックを縦方向と横方向とについて同時に裁断することができる。カッタ線の取り付けに当たり、予め所定位置に設けられた位置決め溝と対応する掛止溝とを選択することによって、その都度カッタ線の張設位置を測定する手数を省略できるとともに、使用する位置決め溝と対応する掛止溝とを変更することによって、簡単に裁断サイズを変更することもできる。  そして、カッタ線はナイロン糸で形成され、位置決め溝を通過することができない圧着金具を２箇所に固着し、一端側に指掛けループを形成しているので、その指掛けループに指をかけてカッタ線に張力を掛けながら圧着金具を位置決め溝に掛止することによって、カッタ線を結わえる作業を省略して簡単に、例えば、１動作によって張設することができる。
【発明の効果】
【００１２】
本発明に係る生け花用の保水性発泡樹脂ブロックの裁断用具は、縦横にカッタ線を張設したガイド枠内に保水性発泡樹脂ブロックを通過させることによって、一般的な刃物では切断が困難であつた保水性発泡樹脂ブロックを、カッタ線の押し込み動作で極めて容易に裁断破壊し、かつ短時間で効率よく裁断することができるという顕著な効果を奏する。
【発明を実施するための最良の形態】
【００１３】
以下、図面を引用しながら本発明の実施の形態を説明する。
【００１４】
保水性発泡樹脂ブロックＢの裁断用具５０は、ガイド枠５１と、補強枠５２と、取手５３，５３と、左右一対の複数本のカッタ線Ｓ，Ｓ…とからなる（図１，図２）。
【００１５】
ガイド枠５１と補強枠５２と左右一対の取手５３，５３は、ＡＢＳ樹脂やポリカーボネイト樹脂等の機械的強度の大きい樹脂材料から一体成形されている。ガイド枠５１は、一定幅の板材を長方形に曲げ加工した場合に相当する角枠状に形成され、したがって、ガイド枠５１の内側には、角孔Ｈ１が形成されている。そして、この角孔Ｈ１の縦横寸法は、裁断対象となる保水性発泡樹脂ブロックＢの任意の一面Ｂ１の縦寸法Ｘ、横寸法Ｙをそれぞれ僅かに上回るように寸法設定されている（図１）。ガイド枠５１の上端面には、その板厚を横断する方向に多数の位置決め溝５Ａ１，５Ａ１…が刻設されている。各位置決め溝５Ａ１は、Ｖ字形であり、多数の掛止溝５Ａ２，５Ａ２…は、角孔Ｈ１を挟んで対応するように配置され、掛止溝Ａ２も同様にＶ字形としている。
【００１６】
補強枠５２は、ガイド枠５１に立体構造を付与することを目的としてガイド枠の側方に突出する補強リブの態様で、ガイド枠５１の全周にわたって形成されている。したがって、ガイド枠５１と補強枠５２とは、直交する角度関係となっている。また、ガイド枠５１の短辺に対応する左右の補強枠５２には、取手５３，５３が一体に形成されている。補強枠５２と取手５３との境界は明確ではないが、裁断用具５０の取扱上、何ら支障は生じない。この補強枠５２には、少なくとも、ガイド枠５１に形成した位置決め溝Ａ１，Ａ１…に対応する数の掛止溝５Ａ２，５Ａ２…が形成されている。なお、左右の取手５３，５３には、カッタ線Ｓを通すための通し孔Ｈ２，Ｈ２が形成され、ガイド枠５１の短辺側の位置決め溝５Ａ１，５Ａ１に対応する補強枠５２の掛止溝５Ａ２，５Ａ２は、通し孔Ｈ２，Ｈ２の内部に形成されている。なお、取手５３，５３は、補強枠５２と別に設けることもできる。
【００１７】
本実施の形態におけるカッタ線Ｓ，Ｓ…には、それぞれ２個の圧着金具５６，５６を取付けるとともに、一端に指掛けループＳ１を形成したものが採用されている（図１，図３）。なお、カッタ線Ｓには、釣り漁用のテグス、つまり、ナイロン糸を流用している。各カッタ線Ｓは、角孔Ｈ１を挟んで対応する位置の位置決め溝５Ａ１，５Ａ１…および掛止溝Ａ２，Ａ２…を選び、カッタ線の一方側の圧着金具５６を補強枠の掛止溝５Ａ２の裏面側に掛止し、そのカッタ線の他方側を対応する掛止溝５Ａ２の裏面側に掛止させた状態で着脱自在に取り付けられている。
【００１８】
このような圧着金具５６，５６を備えるカッタ線Ｓは、１動作によってガイド枠５１に張設することが可能である（図３）。各カッタ線Ｓの取付けは、そのカッタ線の一方を補強枠５２の掛止溝５Ａ２の裏面側に掛止し、中間部分をガイド枠５１上端側の位置決め溝５Ａ１に嵌め込んだ上、指掛けループＳ１に指を掛けて他方側に引き付け、その他方側の位置決め溝５Ａ１に嵌め込みながら、残る圧着金具５６を他方の補強枠５２の掛止溝５Ａ２の下側に回し込むことによって完了する。なお、各圧着金具５６には、掛止効果の高いつば５Ｔを有するものが用いられているが、掛止溝５Ａ２を通過し得ないサイズであれば、つば５Ｔを有しない通常の圧着スリーブで足りる。
【００１９】
本実施の形態に示す裁断用具５０は、次のような要領で極めて簡単に使用することができる（図１，図３）。なお、カッタ線Ｓ，Ｓ…は、縦方向に１本と、横方向に３本張設され、ガイド枠５１の角孔Ｈ１は、カッタ線Ｓ，Ｓ…によって８個の均等サイズの升目状態に区画されている。
【００２０】
ガイド枠５１の角孔Ｈ１の対応する形状の１面Ｂ１を上にして保水性発泡樹脂ブロックＢを置き、この上に、角孔Ｈ１内に保水性発泡樹脂ブロックＢを位置決めするようにして裁断用具５０を載せる。次いで、左右の取手５３，５３の両手をかけて体重を載せるようにして裁断用具５０全体を押し下げる。体重の軽い者であっても、左右の取手５３，５３に両手をかけ、ガイド枠５１に体重を載せるようにしながら少し左に傾け、ついで右に傾けて揺動させながら、これを交互に繰り返すことによって裁断用具５０を押し下げる。この動作の相対運動として、保水性発泡樹脂ブロックＢは、ガイド枠５１の角孔Ｈ１内を上昇し、カッタ線Ｓ，Ｓ…は細い線状に食い込み、保水性発泡樹脂ブロックＢ内に押し込まれ裁断され、破壊することとなる。
【００２１】
結果として、保水性発泡樹脂ブロックＢは、希望するサイズの８個の保水性発泡樹脂ブロックに裁断破壊される。裁断作業に際しては、カッタ線Ｓ，Ｓ…に上向きの反作用が働くのであるが、各カッタ線Ｓは、ガイド枠５１に対して側方に向いている補強枠に掛止されていることにより、カッタ線Ｓ，Ｓ…が脱落することにはならない。
【００２２】
なお、上記実施の形態に拘らず、裁断用具５０は、ガイド枠５１と補強枠５２のいずれか一方、または双方の位置決め溝５Ａ，５Ａ…を有しないものとすることもできる。この場合におけるカッタ線Ｓ，Ｓ…は、ガイド枠５２に結わえておけば足りるからである。また、このことは、圧着金具５６、指掛けループＳ１についても同様である。これらは、裁断用具５０の基本的作用に寄与するのではなく、裁断用具５０をより便利にすることを目的としているからでもある。
【００２３】
また、ガイド枠５１や補強枠５２は、金属材料の板金加工製品として、または、ダイカスト製品としても容易に実施することができるものである。カッタ線Ｓの材質に関しては、ナイロン線に限らず、１８番ないし２２番程度の太さの金属線を利用しても、同等の裁断作用を得ることができる。しかしながら、金属線の場合、伸線状に弛みが発生しやすく、使用毎に張り具合を調整する必要があるので、連続して裁断したいときには、好ましくない。
【００２４】
以上の説明において、裁断用具５０は、ガイド枠５１に保水性発泡樹脂Ｂを挿入するようにしてカッタ線Ｓを通過させて裁断することを説明したが、その逆に、カッタ線Ｓ側を保水性發泡樹脂Ｂに接触させ、保水性発泡樹脂Ｂにカッタ線Ｓを食い込むように押し込みながらガイド枠５１に沿って裁断することもできる。
【図面の簡単な説明】
【００２５】
【図１】本発明の実施の形態を示す斜視図である。
【図２】上記実施の形態における要部の平面図である。
【図３】上記実施の形態における要部の断面図である。
【符号の説明】
【００２６】
Ｂ        保水性発泡樹脂ブロック
Ｓ        カッタ線
Ｓ１      指掛けループ
５０      裁断用具
５１      ガイド枠
５２      補強枠
５Ａ１    位置決め溝
５Ａ２    掛止溝
５３      取手
５６      圧着金具
【手続補正３】
【補正対象書類名】図面
【補正対象項目名】図１
【補正方法】変更
【補正の内容】
【図１】
2008142433.tif 000006
【手続補正４】
【補正対象書類名】図面
【補正対象項目名】図２
【補正方法】変更
【補正の内容】
【図２】
2008142433.tif 000007
【手続補正５】
【補正対象書類名】図面
【補正対象項目名】図３
【補正方法】変更
【補正の内容】
【図３】
2008142433.tif 000008
【手続補正書】
【提出日】平成19年12月3日(2007.12.3)
【手続補正１】
【補正対象書類名】明細書
【補正対象項目名】００１０
【補正方法】変更
【補正の内容】
【００１０】
所定寸法の直方体形状として提供される生け花用の保水性発泡樹脂ブロックのいずれかの一面の縦横寸法に対応する縦横寸法の角孔を有する角枠状のガイド枠の周囲にガイド枠と直交する向きに形成する補強枠と、ガイド枠に対して直接に、または補強枠を介して形成する左右一対の取手と、ガイド枠にはカッタ線を嵌め込んで位置決めする複数の位置決め溝を有し、そのガイド枠の角孔を縦横に横断するように該位置決め溝に張設するカッタ線とを備え、ガイド枠の角孔によって保水性発泡樹脂ブロックを位置決めするように保水性発泡樹脂ブロックの上にガイド枠を載せ置き、左右一対の取手を両手で押し下げてガイド枠の角孔内に保水性発泡樹脂ブロックを通過させることによって、張設したカッタ線を介して保水性発泡樹脂ブロックを縦方向と横方向とについて同時に押切りする生け花用の保水性発泡樹脂ブロックの裁断用具において、ガイド枠の上端面にはカッタ線を嵌め込む複数の位置決め溝と、補助枠にはその位置決め溝に対して対応する位置にカッタ線を掛止可能とした掛止溝とを並設し、カッタ線はナイロン糸で形成され、該カッタ線の２箇所には、前記補助枠に設けた掛止溝を通過不能なサイズの圧着金具を取り付け、そのカッタ線を前記角孔を挟んで対応する位置の補助枠の位置決め溝に嵌め込まれ、そのカッタ線は補強枠の掛止溝間に前記圧着金具を介して掛止して、１動作で複数本の各カッタ線を個別に掛止可能に構成したことを特徴としている。
【手続補正書】
【提出日】平成20年3月3日(2008.3.3)
【手続補正１】
【補正対象書類名】特許請求の範囲
【補正対象項目名】全文
【補正方法】変更
【補正の内容】
【特許請求の範囲】
【請求項１】
所定寸法の直方体形状として提供される生け花用の保水性発泡樹脂ブロックのいずれかの一面の縦横寸法に対応する縦横寸法の角孔を有する角枠状のガイド枠と、該ガイド枠の周囲に該ガイド枠と直交する向きに形成する補強枠と、前記ガイド枠に対して直接に、または前記補強枠を介して形成する左右一対の取手と、前記ガイド枠と補強枠とのいずれか一方、または双方に前記カッタ線を嵌め込んで位置決めする複数の位置決め溝を並設して、前記ガイド枠の角孔を縦横に横断するように該位置決め溝に張設するカッタ線とを備え、前記ガイド枠の角孔によって保水性発泡樹脂ブロックを位置決めするように保水性発泡樹脂ブロックの上に前記ガイド枠を載せ置き、前記左右一対の取手を両手で押し下げて前記ガイド枠の角孔内に保水性発泡樹脂ブロックを通過させることによって、前記張設したカッタ線を介して保水性発泡樹脂ブロックを縦方向と横方向について同時に押切りする生け花用の保水性発泡樹脂ブロックの裁断用具において、
前記ガイド枠の上端面にはカッタ線を嵌め込む複数の位置決め溝と、前記補強枠には該位置決め溝に対して対応する位置にカッタ線を掛止可能とした掛止溝とを並設し、各カッタ線はナイロン糸で形成され、該カッタ線の２箇所には、前記補強枠に設けた掛止溝を通過不能なサイズの圧着金具を取り付け、該カッタ線は前記角孔を挟んで対応する位置の一方側の前記掛止溝の裏面側に一方側の圧着金具を掛止し、該一方側の掛止溝から位置決め溝と他方側の位置決め溝に嵌め込み、ついで、該他方側の掛止溝の下側に他方側の圧着金具を回し込んで掛止して、複数本の各カッタ線を個別に掛止可能に構成したこと、を特徴とする、
生け花用の保水性発泡樹脂ブロックの裁断用具。
【手続補正２】
【補正対象書類名】明細書
【補正対象項目名】全文
【補正方法】変更
【補正の内容】
【発明の詳細な説明】
【技術分野】
【０００１】
本発明は、市販するための便宜として、所定寸法の直方体形状として市場に供されている生け花用の保水性発泡樹脂ブロックの裁断用具に係り、より具体的には、１裁断操作によって、多数個の使用単位寸法の保水性発泡樹脂ブロックを一挙に作成することができるように工夫した生け花用の保水性発泡樹脂ブロックの裁断用具に関する。
【背景技術】
【０００２】
生け花用の保水性発泡樹脂ブロックは、尿素樹脂系の樹脂材料の発泡化素材であり、これに水を含ませて生花である切花を挿しておくことによって、挿した状態で切花の姿勢を維持することができるとともに、花瓶や水盤等の水容器を要することなく一定期間切花に水分を供給することができるので、一般家庭での使用の外、生花の販売準備としての多数の花束包装の作成や、冠婚葬祭等の時限的使用において多用されるようになっている。
【０００３】
なお、生け花用の保水性発泡樹脂ブロックは、販売単位寸法の直方体のブロック状のものとして市場に提供され、利用者は、購入したブロック状のものを所望の使用寸法に裁断して利用している。ところで、生け花用の保水性発泡樹脂ブロックは、外観的には、いわゆるスポンジのようなものであって、したがって、取扱い上、スポンジに類する性質を有するが、通常のスポンジとは、まったく異なる性質をも併せ持つ特殊な素材である。
【０００４】
このような特殊な性質は、使用に先立っての保水性発泡樹脂ブロックの裁断作業に関して次のような問題を提起する。例えば、保水性発泡樹脂ブロックは、摩擦力が極めて大きく、カッタナイフ等で裁断しようとしても、少し切り込んだ位置でカッタナイフが動かせなくなるという性質を有する。一方、弾性や反発性は皆無に近く、極めて脆い。したがって、動かなくなったカッタナイフ等を無理に動かすと、ナイフ近傍の素材がナイフに引き寄せられて座屈するように崩れてしまう。また、軽量であって裁断に際して位置ずれし易く、これを素手で押さえていると、角部が丸まったり、指の形に凹んでしまうという問題を有する。
【０００５】
保水性発泡樹脂ブロックの裁断に関する上記のような問題は、一般家庭での低頻度で使用する際には、それほどの不都合はないともいえるが、上記問題は、例えば、生花店のように均一の商品の一部として、多数個を高頻度で使用する場合における保水性発泡樹脂ブロックの裁断は、極めて時間と手数を要する煩雑な負担となっている。したがって、生花店等においては、保水性発泡樹脂ブロックを手軽に裁断することができる裁断用具が切望されている。しかし、下記特許文献に示されるように、保水性発泡樹脂ブロックの利用に関する提案が漸増するにも拘らず、適切な裁断用具は提供されていない現状である。
【特許文献１】特開２００５−２１３１２号公報
【特許文献２】特許第３７７３２５１号公報
【特許文献３】特開２００６−８７６８８号公報
【発明の開示】
【発明が解決しようとする課題】
【０００６】
保水性発泡樹脂ブロックは、裁断して使用されているにもかかわらず、適切な裁断用具が提供されていないのは、あまりにも容易な作業と見えるため、専用の裁断用具を開発するまでもなく、ありあわせの刃物等で切断すれば足りると判断されることもある。しかし、あり合わせの工具（たとえば、カッターナイフ、糸鋸）で実際に裁断作業を実施してみた結果として、その裁断は見かけでは容易なようではあるが、案外と容易な作業ではない。
【０００７】
本発明は、発明者らが保水性発泡樹脂ブロックの裁断に際しての刃物と素材との関係がチーズや粘土を切断する場合に酷似することに着目した結果なされたものである。すなわち、粘土等を刃物で切断しようとする場合、粘土等に刃先が少し切り込んだところで刃物が動かなくなり、無理に刃物を動かすと素材が崩れてしまう。このような現象は、保水性発泡樹脂ブロックと刃物の関係と同じである。ところが、粘土等に対し、一定の張力で張った糸を押し付けた場合には、以外に簡単に切断することができるという事実がある。これは、糸には、摩擦が働くに足る面積がないためである。
【０００８】
本発明は、このことをヒントに、生け花用の保水性発泡樹脂ブロックを形崩れさせることなく、極めて容易かつ短時間で、しかも、多数個取りも可能とした裁断用具を提供することを目的とする。
【課題を解決するための手段】
【０００９】
本発明は、上記課題を解決するために次のような手段を採用する。
【００１０】
所定寸法の直方体形状として提供される生け花用の保水性発泡樹脂ブロックのいずれかの一面の縦横寸法に対応する縦横寸法の角孔を有する角枠状のガイド枠と、このガイド枠の周囲にガイド枠と直交する向きに形成する補強枠と、ガイド枠に対して直接に、または補強枠を介して形成する左右一対の取手と、前記ガイド枠と補強枠とのいずれか一方、または双方に前記カッタ線を嵌め込んで位置決めする複数の位置決め溝を並設して、前記ガイド枠の角孔を縦横に横断するように該位置決め溝に張設するカッタ線とを備えてなり、ガイド枠の角孔によって保水性発泡樹脂ブロックを位置決めするように保水性発泡樹脂ブロックの上にガイド枠を載せ置き、左右一対の取手を両手で押し下げてガイド枠の角孔内に保水性発泡樹脂ブロックを通過させることによって、張設したカッタ線を介して保水性発泡樹脂ブロックを縦方向と横方向とについて同時に押切りする生け花用の保水性発泡樹脂ブロックの裁断用具において、前記ガイド枠の上端面にはカッタ線を嵌め込む複数の位置決め溝と、前記補強枠には該位置決め溝に対して対応する位置にカッタ線を掛止可能とした掛止溝とを並設し、各カッタ線はナイロン糸で形成され、該カッタ線の２箇所には、前記補強枠の掛止溝を通過不能なサイズの圧着金具を取り付け、そのカッタ線は前記角孔を挟んで対応する位置の一方側の前記掛止溝の裏面側に一方側の圧着金具を掛止し、その一方側の掛止溝から位置決め溝と他方側の位置決め溝に嵌め込み、ついで、他方側の掛止溝の下側に他方側の圧着金具を回し込んで掛止して、複数本の各カッタ線を個別に掛止可能に構成したことを特徴としている。
【００１１】
上記構成を有する保水性発泡樹脂ブロックの裁断用具は、ガイド枠の角孔の寸法を保水性発泡樹脂ブロックの一面の寸法に対応させていることにより、ガイド枠によって保水性発泡樹脂ブロックを位置決めすることができ、そしてまた、カッタ線による押し切り方式を採用していることにより、裁断作業に際して保水性発泡樹脂ブロックを手で押さえている必要がないので、両手で左右の取手を使用しての安定な裁断作業を行うことができるとともに、手で押さえることによる保水性発泡樹脂ブロックの角落ち等の問題が発生しない。この際、ガイド枠は、角孔内に保水性発泡樹脂ブロックを位置決めしながら進行するので、裁断面が屈曲することを防止することができる。ガイド枠に対して直交方向に形成された補強枠は、ガイド枠に立体構造を与え、裁断作業に際して加えられる力に耐えることができる。また、カッタ線は、縦方向と横方向とに取り付けられていることにより、保水性発泡樹脂ブロックを縦方向と横方向とについて同時に裁断することができる。
【００１２】
カッタ線の取り付けに当たり、予め所定位置に設けられた位置決め溝と対応する掛止溝とを選択することによって、その都度カッタ線の張設位置を測定する手数を省略できるとともに、使用しようとするサイズに見合った互いに対応する掛止溝と位置決め溝とを選択することによって、簡単に裁断サイズを変更することもできる。そして、カッタ線はナイロン糸で形成され、掛止溝を通過することができない圧着金具を２箇所に固着し、一端側に指掛けループを形成しているので、一方側の掛止溝に一方側の裏面側に圧着金具を掛止し、その指掛けループに指をかけてカッタ線に張力を掛けながら位置決め溝に嵌め込み、他方側の位置決め溝にも嵌め込み、他方側の圧着金具を他方側の掛止溝の下側に回し込みその裏面側に掛止することによって、カッタ線を結わえる作業を省略して簡単に、例えば、カッタ線を一本ごとに一連の動作によって張設することができる。
【発明の効果】
【００１３】
本発明に係る生け花用の保水性発泡樹脂ブロックの裁断用具は、縦横にカッタ線を張設したガイド枠内に保水性発泡樹脂ブロックを通過させることによって、一般的な刃物では切断が困難であつた保水性発泡樹脂ブロックを、カッタ線の押し込み動作で極めて容易に裁断破壊し、かつ短時間で効率よく裁断することができるという顕著な効果を奏する。
【発明を実施するための最良の形態】
【００１４】
以下、図面を引用しながら本発明の実施の形態を説明する。
【００１５】
保水性発泡樹脂ブロックＢの裁断用具５０は、ガイド枠５１と、補強枠５２と、取手５３，５３と、左右一対の複数本のカッタ線Ｓ，Ｓ…とからなる（図１，図２）。
【００１６】
ガイド枠５１と補強枠５２と左右一対の取手５３，５３は、ＡＢＳ樹脂やポリカーボネイト樹脂等の機械的強度の大きい樹脂材料から一体成形されている。ガイド枠５１は、一定幅の板材を長方形に曲げ加工した場合に相当する角枠状に形成され、したがって、ガイド枠５１の内側には、角孔Ｈ１が形成されている。そして、この角孔Ｈ１の縦横寸法は、裁断対象となる保水性発泡樹脂ブロックＢの任意の一面Ｂ１の縦寸法Ｘ、横寸法Ｙをそれぞれ僅かに上回るように寸法設定されている（図１）。ガイド枠５１の上端面には、その板厚を横断する方向に多数の位置決め溝５Ａ１，５Ａ１…が刻設されている。各位置決め溝５Ａ１は、Ｖ字形であり、多数の掛止溝５Ａ２，５Ａ２…は、角孔Ｈ１を挟んで対応するように配置され、掛止溝５Ａ２も同様にＶ字形としている。
【００１７】
補強枠５２は、ガイド枠５１に立体構造を付与することを目的としてガイド枠の側方に突出する補強リブの態様で、ガイド枠５１の全周にわたって形成されている。したがって、ガイド枠５１と補強枠５２とは、直交する角度関係となっている。また、ガイド枠５１の短辺に対応する左右の補強枠５２には、取手５３，５３が一体に形成されている。補強枠５２と取手５３との境界は明確ではないが、裁断用具５０の取扱上、何ら支障は生じない。この補強枠５２には、少なくとも、ガイド枠５１に形成した位置決め溝５Ａ１，５Ａ１に対応する数の掛止溝５Ａ２，５Ａ２…が形成されている。なお、左右の取手５３，５３には、カッタ線Ｓを通すための通し孔Ｈ２，Ｈ２が形成され、ガイド枠５１の短辺側の位置決め溝５Ａ１，５Ａ１に対応する補強枠５２の掛止溝５Ａ２，５Ａ２は、通し孔Ｈ２，Ｈ２の内部に形成されている。なお、取手５３，５３は、補強枠５２と別に設けることもできる。
【００１８】
本実施の形態におけるカッタ線Ｓ，Ｓ…には、それぞれ２個の圧着金具５６，５６を取付けるとともに、一端に指掛けループＳ１を形成したものが採用されている（図１，図３）。なお、カッタ線Ｓには、釣り漁用のテグス、つまり、ナイロン糸を流用している。各カッタ線Ｓは、角孔Ｈ１を挟んで対応する位置の位置決め溝５Ａ１，５Ａ１…および掛止溝５Ａ２，５Ａ２…を選び、カッタ線の一方側の圧着金具５６を補強枠の掛止溝５Ａ２の裏面側に掛止し、そのカッタ線の他方側を対応する掛止溝５Ａ２の裏面側に掛止した状態で着脱自在に取り付けられている。
【００１９】
このような圧着金具５６，５６を備えるカッタ線Ｓは、一連の動作によってガイド枠５１に張設することが可能である（図３）。各カッタ線Ｓの取付けは、そのカッタ線の一方を補強枠５２の掛止溝５Ａ２の裏面側に掛止し、中間部分をガイド枠５１上端側の位置決め溝５Ａ１に嵌め込んだ上、指掛けループＳ１に指を掛けて他方側に引き付け、その他方側の位置決め溝５Ａ１に嵌め込みながら、残る圧着金具５６を他方の補強枠５２の掛止溝５Ａ２の下側に回し込むことによって完了する。なお、各圧着金具５６には、掛止効果の高いつば５Ｔを有するものが用いられているが、掛止溝５Ａ２を通過し得ないサイズであれば、つば５Ｔを有しない通常の圧着スリーブで足りる。
【００２０】
本実施の形態に示す裁断用具５０は、次のような要領で極めて簡単に使用することができる（図１，図３）。なお、カッタ線Ｓ，Ｓ…は、縦方向に１本と、横方向に３本張設され、ガイド枠５１の角孔Ｈ１は、カッタ線Ｓ，Ｓ…によって８個の均等サイズの升目状態に区画されている。
【００２１】
ガイド枠５１の角孔Ｈ１の対応する形状の１面Ｂ１を上にして保水性発泡樹脂ブロックＢを置き、この上に、角孔Ｈ１内に保水性発泡樹脂ブロックＢを位置決めするようにして裁断用具５０を載せる。次いで、左右の取手５３，５３の両手をかけて体重を載せるようにして裁断用具５０全体を押し下げる。体重の軽い者であっても、左右の取手５３，５３に両手をかけ、ガイド枠５１に体重を載せるようにしながら少し左に傾け、ついで右に傾けて揺動させながら、これを交互に繰り返すことによって裁断用具５０を押し下げる。この動作の相対運動として、保水性発泡樹脂ブロックＢは、ガイド枠５１の角孔Ｈ１内を上昇し、カッタ線Ｓ，Ｓ…は細い線状に食い込み、保水性発泡樹脂ブロックＢ内に押し込まれ裁断され、破壊することとなる。
【００２２】
結果として、保水性発泡樹脂ブロックＢは、希望するサイズの８個の保水性発泡樹脂ブロックに裁断破壊される。裁断作業に際しては、カッタ線Ｓ，Ｓ…に上向きの反作用が働くのであるが、各カッタ線Ｓは、ガイド枠５１に対して側方に向いている補強枠に掛止されていることにより、カッタ線Ｓ，Ｓ…が脱落することにはならない。
【００２３】
なお、上記実施の形態に拘らず、裁断用具５０は、ガイド枠５１と補強枠５２のいずれか一方、または双方の位置決め溝５Ａ１，５Ａ１…を有しないものとすることもできる。この場合におけるカッタ線Ｓ，Ｓ…は、ガイド枠５２に結わえておけば足りるからである。また、このことは、圧着金具５６、指掛けループＳ１についても同様である。これらは、裁断用具５０の基本的作用に寄与するのではなく、裁断用具５０をより便利にすることを目的としているからでもある。
【００２４】
また、ガイド枠５１や補強枠５２は、金属材料の板金加工製品として、または、ダイカスト製品としても容易に実施することができるものである。カッタ線Ｓの材質に関しては、ナイロン線に限らず、１８番ないし２２番程度の太さの金属線を利用しても、同等の裁断作用を得ることができる。しかしながら、金属線の場合、伸線状に弛みが発生しやすく、使用毎に張り具合を調整する必要があるので、連続して裁断したいときには、好ましくない。
【００２５】
以上の説明において、裁断用具５０は、ガイド枠５１に保水性発泡樹脂Ｂを挿入するようにしてカッタ線Ｓを通過させて裁断することを説明したが、その逆に、カッタ線Ｓ側を保水性發泡樹脂Ｂに接触させ、保水性発泡樹脂Ｂにカッタ線Ｓを食い込むように押し込みながらガイド枠５１に沿って裁断することもできる。
【図面の簡単な説明】
【００２６】
【図１】本発明の実施の形態を示す斜視図である。
【図２】上記実施の形態における要部の平面図である。
【図３】上記実施の形態における要部の断面図である。
【符号の説明】
【００２７】
Ｂ        保水性発泡樹脂ブロック
Ｓ        カッタ線
５０      裁断用具
５１      ガイド枠
５２      補強枠
５Ａ１    位置決め溝
５Ａ２    掛止溝
５３      取手
５６      圧着金具
Ｈ１      角孔